(57)【要約】【課題】本発明はアイソレーション特性が良好な電子部品を提供することを目的とする。【解決手段】本発明の電子部品は、第１の信号端と第２の信号端の間に接続され、第１の通過帯域を有する第１のフィルタと、前記第１の信号端と第３の信号端との間に接続され、前記第１の通過帯域と異なる第２の通過帯域を有する第２のフィルタとを備え、前記第１と第２のフィルタを経由して前記第２と第３の信号端を結ぶ回路を主回路部としたとき、前記主回路部と並列接続になるように、前記第２と第３の信号端の間に付加回路部を設け、前記付加回路部は前記第１または第２の通過帯域の中に前記主回路部と逆方向の位相成分を有する周波数領域を設けたものである。【選択図】図１
2014120841.tif 000002
【特許請求の範囲】
【請求項１】
第１の信号端と第２の信号端の間に接続され、
第１の通過帯域を有する第１のフィルタと、
前記第１の信号端と第３の信号端との間に接続され、
前記第１の通過帯域と異なる第２の通過帯域を有する第２のフィルタとを備え、
前記第１と第２のフィルタを経由して前記第２と第３の信号端を結ぶ回路を主回路部としたとき、
前記主回路部と並列接続になるように、前記第２と第３の信号端の間に付加回路部を設け、
前記付加回路部は前記第１または第２の通過帯域の中に前記主回路部と逆方向の位相成分を有する周波数領域を設けた電子部品。
【請求項２】
前記第１のフィルタを送信フィルタとし、前記第２のフィルタを受信フィルタとし、アンテナ共用器として動作する請求項１記載の電子部品。
【請求項３】
前記第１と第２のフィルタの少なくとも１つは、位相を反転させる機能を有する請求項１記載の電子部品。
【請求項４】
前記第１と第２のフィルタの少なくとも１つは、縦結合弾性波共振器を有する請求項１記載の電子部品。
【請求項５】
前記付加回路部において、前記周波数領域における通過特性の振幅レベルをシフトさせる素子を設けた請求項１記載の電子部品。
【請求項６】
前記周波数領域において、前記主回路部の通過特性の振幅と前記付加回路部の通過特性の振幅の差の絶対値を１０ｄＢ以下にした請求項１記載の電子部品。
【請求項７】
前記第１または第２のフィルタは弾性波素子を用いた第１のラダー回路部を有し、前記付加回路部は弾性波素子を用いた第２のラダー回路部を有する請求項１記載の電子部品。
【請求項８】
前記付加回路部は、共振器を有する請求項１記載の電子部品。
【請求項９】
前記付加回路は共振器を有し、前記共振器の共振周波数あるいは反共振周波数の少なくとも１つは、前記第１または第２の通過帯域内に設定された請求項１記載の電子部品。
【請求項１０】
前記付加回路部は共振器を有し、前記共振器と前記第２の信号端との間に第１の容量素子を設けた請求項１記載の電子部品。
【請求項１１】
前記付加回路部は共振器を有し、前記共振器と前記第２の信号端との間に第１の容量素子を設け、前記共振器と前記第３の信号端との間に第２の容量素子を設けた請求項１記載の電子部品。
【請求項１２】
前記付加回路部は弾性波素子を用いたラダー回路部を有し、前記ラダー回路部と前記第２の信号端との間に第１の容量素子を設け、前記ラダー回路部と前記第３の信号端との間に第２の容量素子を設けた請求項１記載の電子部品。
【請求項１３】
前記付加回路部は、直列腕共振子と並列腕共振子を有するラダー回路部を有し、前記直列腕共振器の共振周波数と反共振周波数の中点と、前記並列腕共振器の共振周波数と反共振周波数の中点を、前記第１または第２の通過帯域内に配置した請求項１記載の電子部品。
【請求項１４】
前記第１または第２のフィルタおよび前記付加回路部は、同一の圧電基板に形成された弾性波素子を有する請求項１記載の電子部品。
【発明の詳細な説明】
【技術分野】
【０００１】
本発明は、各種通信機器や高周波装置等において使用される電子部品に関するものである。
【背景技術】
【０００２】
無線通信装置においてアンテナ共用器として使用される従来の電子部品を図９に示す。図９において、従来の電子部品１０００は、送信フィルタ１００１と、受信フィルタ１００２と、共通端子１００３と、送信端子１００４と、受信端子１００５と、移相回路１００６を有し、送信端子１００４に接続された送信フィルタ１００１と、受信端子１００５に接続された受信フィルタ１００２とが、移相回路１００６を介して共通端子１００３に接続されている。
【０００３】
この従来の電子部品１０００は、通信装置２００の内部において、共通端子１００３はアンテナ２０１に接続され、送信端子１００４は送信回路２０２に接続され、受信端子１００５は受信回路２０３に接続される。そして、送信回路２０２において生成した送信信号は、送信端子１００４から入力して共通端子１００３からアンテナ２０１を経由して電波として出力される。アンテナ２０１から受信した受信信号は、共通端子１００３から入力し、受信端子１００５から受信回路２０３に出力する。
【０００４】
なお、この出願の発明に関する先行技術文献情報としては、例えば、特許文献１が知られている。
【先行技術文献】
【特許文献】
【０００５】
【特許文献１】国際公開第２０１０／０７３３７７号
【発明の概要】
【発明が解決しようとする課題】
【０００６】
しかしながら、従来の電子部品１０００は、送信端子１００４から入力する送信信号は強力であるのに対して、受信端子１００５から入力する受信信号は微弱であるため、送信信号の電力の一部が受信フィルタ１００２から漏出し、受信特性に悪影響を及ぼすという課題を有していた。
【０００７】
本発明は、共通の信号端子に接続された２つの高周波フィルタの間において一方の高周波フィルタから他方の高周波フィルタへの信号の漏出が少なく、アイソレーション特性が良好な電子部品を提供するものである。
【課題を解決するための手段】
【０００８】
上記課題を解決するために本発明は、第１の信号端と第２の信号端の間に接続され、第１の通過帯域を有する第１のフィルタと、前記第１の信号端と第３の信号端との間に接続され、前記第１の通過帯域と異なる第２の通過帯域を有する第２のフィルタとを備え、前記第１と第２のフィルタを経由して前記第２と第３の信号端を結ぶ回路を主回路部としたとき、前記主回路部と並列接続になるように、前記第２と第３の信号端の間に付加回路部を設け、前記付加回路部は前記第１または第２の通過帯域の中に前記主回路部と逆方向の位相成分を有する周波数領域を設けたものである。
【発明の効果】
【０００９】
このような構成としたことで、２つのフィルタの間のアイソレーション特性が良好な電子部品を得ることができるという優れた効果を有する。
【図面の簡単な説明】
【００１０】
【図１】本発明の一実施の形態における電子部品の回路構成図
【図２】同電子部品の回路図
【図３】同電子部品の配線図
【図４】同電子部品の特性図
【図５】同電子部品の特性図
【図６】同電子部品の特性図
【図７】同電子部品の特性図
【図８】同電子部品の特性図
【図９】従来の電子部品の回路構成図
【発明を実施するための形態】
【００１１】
以下、本発明の一実施の形態における電子部品として、アンテナ共用器について図面を参照して説明する。
【００１２】
図１は本発明の一実施の形態における電子部品であるアンテナ共用器１００の構成図、図２はアンテナ共用器１００の回路図、図３はアンテナ共用器１００のレイアウト結線図である。
【００１３】
図１、図２において、アンテナ共用器１００は通信装置２００の内部において使用され、送信フィルタ１０１と受信フィルタ１０２と共通端子１０３と送信端子１０４と受信端子１０５と移相回路１０６と圧電基板１０７を有する。送信フィルタ１０１は、接続部１０９と送信端子１０４の間に接続され、受信フィルタ１０２は、接続部１０９と受信端子１０５の間に接続され、移相回路１０６は、接続部１０９と共通端子１０３の間に接続される。ここで、送信フィルタ１０１と接続部１０９と受信フィルタ１０２を経由して送信端子１０４と受信端子１０５を結ぶ回路を主回路部１０８とする。アンテナ共用器１００におけるアイソレーション特性は、送信端子１０４と受信端子１０５の間の通過特性であり、送信帯域と受信帯域において、送信端子１０４と受信端子１０５の間を通過する信号レベルを低減することにより良好なアイソレーション特性が得られる。そして、本発明の一実施の形態における電子部品であるアンテナ共用器１００は、主回路部１０８と並列接続になるように、付加回路部１１０を設けたものである。
【００１４】
通信装置２００は、アンテナ共用器１００とアンテナ２０１と送信回路２０２と受信回路２０３を有し、アンテナ共用器１００の共通端子１０３はアンテナ２０１に接続され、送信端子１０４は送信回路２０２に接続され、受信端子１０５は受信回路２０３に接続される。
【００１５】
送信フィルタ１０１は、圧電基板１０７の上の複数の弾性表面波素子からなり、送信端子１０４と接続部１０９を結ぶ信号ラインに直列腕共振器Ｓ１、Ｓ２、Ｓ３、Ｓ４、Ｓ５が順に直列接続され、信号ラインとグランドの間には、並列腕共振器Ｐ１、Ｐ２、Ｐ３、Ｐ４、Ｐ５が接続され、ラダー型フィルタを構成している。送信フィルタ１０１の送信帯域は８８０〜９１５ＭＨｚである。
【００１６】
受信フィルタ１０２は、圧電基板１０７上に形成された弾性表面波素子からなり、一端子対共振器Ｒ１と縦結合型共振器Ｒ２と縦結合型共振器Ｒ３を縦続接続してなる。受信フィルタ１０２の受信帯域は９２５〜９６０ＭＨである。縦結合型共振器Ｒ２または縦結合型共振器Ｒ３のＩＤＴ（インタデジタルトランスデューサ）は、接続の向きを設定することにより、主回路部１０８の位相を反転させた。これにより主回路部１０８の位相と付加回路部１１０の位相の向きを受信帯域において逆方向にした。
【００１７】
付加回路部１１０は、主回路部１０８と並列接続になるように送信端子１０４と受信端子１０５との間に接続したものであり、圧電基板１０７の上に電極によって形成され、容量１１１、１１２と共振器１１３、１１４を有する。ここで、共振器１１３、１１４は一端子対弾性表面波共振器である。容量１１１と共振器１１３と容量１１２は、この順に送信端子１０４と受信端子１０５の間に直列接続したものであり、共振器１１４は、容量１１１と共振器１１３の接続部とグランドとの間に接続したものである。これは、共振器１１３を直列腕共振器とし、共振器１１４を並列腕共振器とするラダー回路を容量１１１と容量１１２で挟んだ構成である。
【００１８】
付加回路部１１０において、直列腕である共振器１１３の共振周波数を９３７ＭＨｚ、反共振周波数を９７１ＭＨｚ、並列腕である共振器１１４の共振周波数を９３２ＭＨｚ、反共振周波数を９６６ＭＨｚに設定することにより、受信帯域９２５〜９６０ＭＨｚの中に通過特性を有する領域Ｓを形成した。ここで、領域Ｓの周波数範囲は９４５〜９６０ＭＨｚであり、直列腕である共振器１１３における共振周波数と反共振周波数の中点９５１ＭＨｚと、並列腕である共振器１１４における共振周波数と反共振周波数の２点の中点９５４ＭＨｚの両方が受信帯域９２５〜９６０ＭＨｚ内に入るように設計することにより、受信帯域内に領域Ｓを形成したものである。ここで、共振周波数と反共振周波数の中点は、２つの周波数の平均を計算することにより算出したものである。容量１１１と容量１１２は、領域Ｓにおける付加回路部１１０の通過特性の振幅レベルをシフトする素子であり、容量１１１と容量１１２の設計により、付加回路部１１０の通過特性の振幅レベルを主回路部１０８の通過特性の振幅レベルに近似させることを可能にする。そして、領域Ｓにおける付加回路部１１０の位相と主回路部１０８の位相を逆向きにしていることから、領域Ｓにおける主回路部１０８の振幅を相殺し、送信端子１０４と受信端子１０５の間のアイソレーション特性を向上できる。また、容量１１１および容量１１２により、付加回路部１１０の位相を微調整することができる。また、容量１１１および容量１１２は、主回路部１０８から付加回路部１１０に流入する電流を抑制することにより、共振器１１３、１１４を破壊から保護する機能も併せ持つ。具体的には、容量１１１と容量１１２の静電容量を共振器１１３の静電容量よりも小さな容量値に設定し、送信端子１０４に近い容量１１１を受信端子１０５に近い容量１１２より小さな容量に設定したものである。
【００１９】
図３は、本発明の一実施の形態の電子部品であるアンテナ共用器１００の圧電基板１０７上に構成したときのレイアウトと結線を示した図である。図３において、圧電基板１０７の一主面に、送信フィルタ１０１を構成する直列腕共振器Ｓ１、Ｓ２、Ｓ３、Ｓ４、Ｓ５と並列腕共振器Ｐ１、Ｐ２、Ｐ３、Ｐ４、Ｐ５と受信フィルタ１０２を構成する一端子対共振器Ｒ１と縦結合型共振器Ｒ２と縦結合型共振器Ｒ３と容量１１１、１１２と共振器１１３、１１４とが、形成されている。このように１つの圧電基板１０７上に形成することにより小型でアイソレーション特性に優れたアンテナ共用器を得ることが可能になる。圧電基板１０７の長辺側に共通端子１０３が形成され、送信フィルタ１０１を構成する並列腕共振器Ｐ１、Ｐ２、Ｐ３、Ｐ４、Ｐ５は共通端子１０３が形成された端面側に配置され、直列腕共振器Ｓ１、Ｓ２、Ｓ３、Ｓ４、Ｓ５は共通端子１０３が形成された端面に対向する端面側に配置されている。また、付加回路部１１０を構成する共振器１１３、１１４は共通端子１０３が形成された端面に対向する端面側に配置されている。このような配置にすることでアイソレーション特性が改善される。
【００２０】
共通端子１０３は圧電基板１０７の長辺を等分した中央より受信フィルタ側に配置されている。このようにすることで送信フィルタを構成する直列腕共振器および並列腕共振器の占める面積を大きくするとともに圧電基板１０７上の配線を短くすることができるため耐電力性に優れ、かつ配線の抵抗損失の小さなアンテナ共用器が得られる。
【００２１】
さらに、圧電基板１０７上において、共通端子１０３と送信フィルタ１０１の並列腕共振器に接続されたグランド端子１２１、１２２との間に共振器と電気的に接続されていないダミーの端子１２３、１２４を設けている。このような構成とすることで、並列腕共振器から共通端子１０３への電磁界結合による電気信号の回り込みを防止し、アイソレーションを改善できる。
【００２２】
１２５は縦結合型共振器Ｒ２のグランド電極を接地する端子であり、１２６は縦結合型共振器Ｒ３のグランド電極を接地する端子であり、１２５と１２６を圧電基板１０７上で電気的に分離された構成にしている。このようにすることで受信フィルタの減衰特性を良好とし、アイソレーション特性を良好にすることができる。１２７は共振器１１４に接続されたグランド端子である。
【００２３】
１２３、１２４、１２８、１２９の各々はいずれの共振器とも接続されていない端子であり、接地されている。これらの端子は圧電基板１０７の固着力強化をする他、送信端子１０４と共通端子１０３、受信端子１０５と共通端子１０３、または送信端子１０４と受信端子１０５の間のアイソレーションを向上する効果がある。
【００２４】
図４〜図８は本発明の一実施の形態における電子部品であるアンテナ共用器１００の電気特性を示す図である。
【００２５】
図４において実線は、アンテナ共用器１００において送信フィルタ１０１から位相回路１０６と受信フィルタ１０２を経由した主回路部１０８の通過特性Ａであり、付加回路部１１０が無い場合のアンテナ共用器１００のアイソレーション特性を示す。図４において破線は、付加回路部１１０の通過特性Ｂを示す。図４に示すように、付加回路部１１０の通過特性Ｂは、受信帯域において通過特性Ａに近似するように、領域Ｓに矩形状の通過特性を設けたものである。この矩形状の通過特性は、共振器１１３の共振周波数および反共振周波数と共振器１１４の共振周波数および反共振周波数を設定することによりその周波数帯域が受信帯域に入るように設計したものであり、容量１１１と容量１１２を設定することにより付加回路部１１０の通過特性の振幅レベルが主回路部１０８の通過特性の振幅レベルに近似できるように設計している。
【００２６】
図５は、図４に示す通過特性Ｂから通過特性Ａを差し引いた振幅差Ｃであり、受信帯域の特に領域Ｓにおいてその振幅差を小さくしていることを示している。
【００２７】
図６において実線は、アンテナ共用器１００において送信フィルタ１０１から位相回路１０６と受信フィルタ１０２を経由した回路の位相特性Ｄである。図６において破線は、付加回路部１１０の位相特性Ｅを示す。図６に示すように、付加回路部１１０の位相特性Ｅは、受信帯域内の領域Ｓにおいて位相特性Ｄと逆方向の位相特性にしたものである。ここで、位相特性が逆方向であるとは、−１８０度〜１８０度の範囲内で位相差の絶対値が９０度以上であり、逆方向の位相成分を有することをいう。
【００２８】
図７は、図６に示す位相特性Ｅから位相特性Ｄを差し引いた位相差Ｆであり、受信帯域の中の特に領域Ｓにおいて位相差の絶対値が９０°を超える逆方向であり、位相差が１５０度程度になっていることがわかる。
【００２９】
図８において、実線は本発明の一実施の形態におけるアンテナ共用器１００のアイソレーション特性Ｇであり、破線は比較例のアイソレーション特性Ｈであり、アイソレーション特性はマイナスの方向に大きな値であるほど良好である。ここで、比較例は、アンテナ共用器１００において、付加回路部１１０を有さない主回路部１０８のみのアイソレーション特性である。図８において、本発明の実施の形態１におけるアンテナ共用器１００のアイソレーション特性Ｇは、受信帯域の中の特に領域Ｓにおいて信号レベルを低減することができ、特性を大きく改善していることがわかる。
【００３０】
以上のように、本発明の一実施の形態における電子部品は、第１の信号端と第２の信号端の間に接続され、第１の通過帯域を有する第１のフィルタと、前記第１の信号端と第３の信号端との間に接続され、前記第１の通過帯域と異なる第２の通過帯域を有する第２のフィルタとを備え、前記第１と第２のフィルタを経由して前記第２と第３の信号端を結ぶ回路を主回路部としたとき、前記主回路部と並列接続になるように、前記第２と第３の信号端の間に付加回路部を設け、前記付加回路部は前記第１または第２の通過帯域の中に前記主回路部と逆方向の位相成分を有する周波数領域を設けたことにより、この周波数領域における主回路部の通過特性の振幅を相殺して減衰を高めることができ、これによって、第１のフィルタと第２のフィルタの間のアイソレーションを大きく改善することができるものである。
【００３１】
ここで、この逆方向の位相成分を有する周波数領域における主回路部と付加回路部との間の位相差の絶対値は、０度〜１８０度の範囲内において、１８０度が理想的である。しかし、位相差の絶対値が９０度以上であれば、逆方向の位相成分を有するため、通過特性の振幅を相殺してアイソレーションを高める効果を有するものである。上記一実施の形態においては、図７に示すように、位相差を１１０度以上にすることにより効果的に通過特性の振幅を相殺してアイソレーションを高めることができた。
【００３２】
また、上記本発明の一実施の形態における電子部品は、第１のフィルタを送信フィルタとし、第２のフィルタを受信フィルタとすることにより、アイソレーション特性の良好なアンテナ共用器を得ることができるものである。
【００３３】
また、上記本発明の一実施の形態における電子部品は、第１または第２のフィルタに位相を反転させる機能をもたせることによって実現できるものであり、付加回路部に別途の位相反転機能を追加する必要が無く、回路構成を簡単にすることができるものである。
【００３４】
また、上記本発明の一実施の形態における電子部品は、第１または第２のフィルタに縦結合弾性波共振器を用いたものであり、縦結合弾性波共振器のＩＤＴの接続の向きを設定することにより、主回路部と付加回路部の位相を逆向きにする手段を与えることができるものであり、別途の位相反転機能を追加する必要が無く、回路構成を簡単にすることができる。
【００３５】
また、上記本発明の一実施の形態における電子部品は、主回路部の位相と付加回路部の位相を逆向きにした領域Ｓにおいて、通過特性の振幅レベルをシフトさせる素子を付加回路部に設けたものであり、これによって、領域Ｓにおける付加回路部の振幅を主回路部の振幅に近似させることが可能になる。
【００３６】
特に、容量１１１と容量１１２の静電容量を共振器１１３の静電容量よりも小さな容量値に設定し、送信端子１０４に近い容量１１１を受信端子１０５に近い容量１１２より小さな容量に設定することにより、領域Ｓにおける付加回路部の振幅を主回路部の振幅に合せこむことが可能になり、アイソレーション特性を向上する効果が高くなる。
【００３７】
また、上記本発明の一実施の形態における電子部品は、主回路部の位相と付加回路部の位相を逆向きにした領域Ｓにおいて、主回路部の通過特性の振幅と付加回路部の通過特性の振幅の差の絶対値を１０ｄＢ以下にしたことにより、主回路部の振幅と付加回路部の振幅を小さくすることができ、相殺の効果を大きくすることができるため、アイソレーション特性を向上する効果が大きい。
【００３８】
また、上記本発明の一実施の形態における電子部品は、第１または第２のフィルタは弾性波素子を用いた第１のラダー回路部を有し、付加回路部は弾性波素子を用いた第２のラダー回路部を有する構成としたことにより、温度変化があった場合の第１のラダー回路部の周波数特性の変化と付加回路部の周波数特性の変化を近似させることができ、温度変化に対するアイソレーション特性の劣化を低減することができる。
【００３９】
また、上記本発明の一実施の形態における電子部品は、付加回路部は弾性波素子を用いたラダー回路部を有し、ラダー回路部と第２の信号端との間に第１の容量素子を設け、ラダー回路部と前記第３の信号端との間に第２の容量素子を設けたことにより、主回路部１０８から流入する電流から共振器１１３、１１４を保護し、共振器１１３、１１４の破壊を防止することができる。
【００４０】
また、上記本発明の一実施の形態における電子部品は、付加回路部に直列腕共振子と並列腕共振子を有するラダー回路部を設け、直列腕共振器の共振周波数と反共振周波数の中点と、並列腕共振器の共振周波数と反共振周波数の中点を、第１または第２の通過帯域内に配置したことにより、第１または第２の通過帯域の中に付加回路部が形成する通過帯域（領域Ｓ）を配置することができるものである。
【００４１】
また、上記本発明の一実施の形態における電子部品は、第１または第２のフィルタと付加回路部を、同一の圧電基板に形成された弾性波素子を有するものとしたことにより、温度変化による周波数特性の変化が第１または第２のフィルタと付加回路部の両方に同様に生じるため、温度変化があった場合でもアイソレーション特性の劣化を少なくすることができ、アンテナ共用器に適用した場合には、温度変化に対するアイソレーション特性劣化の少ないアンテナ共用器を得ることができるという効果が得られる。また、第１または第２のフィルタと付加回路部を、同一の圧電基板に形成することにより、大型化することなしにアイソレーション特性の良好な電子部品を得ることができる。また、第１のフィルタと第２のフィルタと付加回路部を、同一の圧電基板に形成することにより、より小型の電子部品が得られる。
【００４２】
なお、上記一実施の形態における電子部品として、アンテナ共用器１００を用いて説明したが、本発明の適用はアンテナ共用器に限らず、例えばデュアルフィルタに適用することもできる。すなわち、２個のフィルタが共通の信号端子に接続している回路であれば、本発明を適用でき、同様の効果を有するものである。
【００４３】
また、上記一実施の形態におけるアンテナ共用器１００において、送信フィルタ１０１と受信フィルタ１０２と共振器１１３は、弾性表面波フィルタおよび弾性表面波共振器により構成したものであったが、送信フィルタ１０１と受信フィルタ１０２と共振器１１３を、弾性境界波フィルタおよび弾性境界波共振器により構成しても良いものであり、実施の形態１におけるアンテナ共用器１００と同様にアイソレーション特性を向上することができるという効果を有する。
【産業上の利用可能性】
【００４４】
本発明に係る電子部品は、各種通信機器を構成する上で有用である。
【符号の説明】
【００４５】
１００  アンテナ共用器
１０１  送信フィルタ
１０２  受信フィルタ
１０３  共通端子
１０４  送信端子
１０５  受信端子
１０６  移相回路
１０７  圧電基板
１０８  主回路部
１１０  付加回路部
１１１、１１２  容量
１１３、１１４  共振器
【図１】
2014120841.tif 000003
【図２】
2014120841.tif 000004
【図３】
2014120841.tif 000005
【図４】
2014120841.tif 000006
【図５】
2014120841.tif 000007
【図６】
2014120841.tif 000008
【図７】
2014120841.tif 000009
【図８】
2014120841.tif 000010
【図９】
2014120841.tif 000011